(57)【要約】      （修正有）【課題】立体的に沈み込む図柄凹部を、加熱工具を用いずに実現する厚手柄地の縫合シートを提供する。【解決手段】厚手地１に直交形成した図柄切断線２による柄地部３を下地４に縫い糸５で縫合するに当たり、切断線２で囲んだ残存不要部と柄地部３との各直立縁辺同士を密着保持して縫合することで、縫合時の運針衝撃による柄地部３の位置ズレを各縁辺同士の密着摩擦で防ぎつつ、柄地部３を下地４に縫合した後、残存不要部を厚手地１から除去することで、この除去部分に柄地部密着の厚さに応じて直角に沈み込む図柄凹部７を形成した。【選択図】図１
0003179058.tif 000002
【実用新案登録請求の範囲】
【請求項１】
厚手地に直交形成した図柄切断線による柄地部を下地に縫い糸で縫合するに当たり、この柄地部と前記図柄切断線で囲んだ残存不要部との各直立縁辺同士を密着保持して縫合することで、縫合時の運針衝撃による柄地部の位置ズレを前記各縁辺同士の密着摩擦で防ぎつつ、前記柄地部を下地に縫合した後、前記残存不要部を厚手地から除去することで、この除去部分に柄地部の厚さに応じて直角に沈み込む図柄凹部を形成したことを特徴とする厚手柄地の縫合シート。
【考案の詳細な説明】
【技術分野】
【０００１】
この考案は、厚手柄地の縫合シートに係り、特に本考案は、厚手地の図柄切断線から柄地部の厚さに応じて直角に沈み込む手掘り感覚の優雅な図柄凹部と、美しい縫い目模様とを形成した厚手柄地の縫合シートに関する。
【背景技術】
【０００２】
柄地を縫い付けた従来のアップリケ製品は、下生地上に自動刺繍ミシン用運針ガイドパターンに寸分違わず柄地を仮付けし、この柄地輪郭の内外を自動枠の移動で３ｍｍ程度のカガリ振り幅で運針してカガリ刺繍を施し、アップリケ付き製品としていた。
【０００３】
この従来例における前記カガリ振り幅は、製品柄地の輪郭ホツレを無くするために必要不可欠だったので、上記カガリ振り幅（３ｍｍ程度）に近い細かい柄地輪郭部分は、その輪郭が大きく形崩れしてしまうことと、小さい柄地になる程、縫製時の運針衝撃で柄地位置がズレたり剥がれてしまうという根源的で切実な問題点が有る。
【０００４】
上記問題点を解決すべく本件出願人が先に提案した、特公平７−５６１０４号公報（特許文献１）および実公平７−３０７０５号公報（特許文献２）に記載の従来例のように、下生地に熱不溶性糸で模様縫いした熱可溶性生地の図柄縫い目輪郭の外側不要部を加熱溶断除して下生地上に柄地模様を形成することで、柄地切断縁のホツレを防ぐと共に、カガリ縫いを不要として細かい図柄表現を可能にした柄地付き布地が周知である。
【０００５】
ところが、これら各特許文献における下生地に模様縫いした熱可溶性柄地生地は、その図柄縫い目輪郭の外側不要部を加熱鏝先などで加熱溶断除去して柄地模様は形成できても、皮革やフェルト材等の熱不溶性厚手地の上記不要部は、これら各従来例では加熱溶断除去できないので、柄地模様が形成できないという根源的で切実な問題点が有る。
【０００６】
このほかに、前記各特許文献における柄地付き布地は、生地の表面に浮き上がる柄地模様は形成できても、柄地部の厚さに応じて直角に沈み込む図柄凹部は形成できないという本質的かつ大きい問題点が有る。
【先行技術文献】
【特許文献】
【０００７】
【特許文献１】特公平７−５６１０４号公報
【特許文献２】実公平７−３０７０５号公報
【考案の概要】
【考案が解決しようとする課題】
【０００８】
本考案は、厚手地に形成した柄地部の厚さに応じて直角に沈み込む手掘り感覚の優雅な図柄凹部を加熱工具を用いずに実現することを目的とする。
【課題を解決するための手段】
【０００９】
上記本考案の目的は、厚手地に直交形成した図柄切断線による柄地部を下地に縫い糸で縫合するに当たり、この柄地部と前記図柄切断線で囲んだ残存不要部との各直立縁辺同士を密着保持して縫合することで、縫合時の運針衝撃による柄地部の位置ズレを前記各縁辺同士の密着摩擦で防ぎつつ、前記柄地部を下地に縫合した後、前記残存不要部を厚手地から除去することで、この除去部分に柄地部の厚さに応じて直角に沈み込む図柄凹部を形成したことで達成できた。
【考案の効果】
【００１０】
本考案によれば、前記厚手地の柄地部を下地に縫い糸で縫合する際に、その運針衝撃で厚手地や下地が振動したり揺動しても、前記図柄切断線の位置や形状は、柄地部と残存不要部との各直立縁辺同士の密着による前記摩擦力で不動・不変に保持し得るので、柄地部をその縁辺に沿わせて下地に整然と素早く縫合できるという優れた効果が有る。
【００１１】
上記柄地部を縫合した後、上記残存不要部を下地の裏側を押して厚手地から押し出せば、前記残存不要部を簡単に除去でき、この除去部分に図柄切断線から柄地部の厚さに応じて直角に沈み込む手掘り感覚の優雅な図柄凹部を加工性良く形成できるという優れた効果も有る。
【図面の簡単な説明】
【００１２】
【図１】本考案による厚手柄地の縫合シートの一例を示す斜視図
【図２】本考案による厚手地に形成した図柄切断線の一例を示す斜視図
【図３】図２に示す厚手地を下地に縫い糸で縫合し始める状態の斜視図
【図４】本考案による残存不要部の一例を示す斜視図
【考案を実施するための形態】
【００１３】
本考案の実施形態は、図１のような厚手柄地の縫合シートを作るに当たり、ランドセル等の素材に用いる厚さ１ｍｍ〜２ｍｍ程度の現用一般的な合成皮革とか、厚手ラシャ生地やフェルト生地等の厚手地１に直交する図２のような図柄切断線２を形成すると共に、この切断線２による柄地部３を厚さ０．５〜１ｍｍ程度の下地４に現用一般の平縫い刺繍ミシンにおける図３のような縫合針ｍの運針により縫い糸５で縫合し始める。
【００１４】
ただし本件考案では、図２のような前記図柄切断線２で囲んだ不要部６を上記の縫合前にワザと残しておき、この残した残存不要部６と柄地部３との各直立縁辺６Ａ・３Ａ同士を予め同図２のように面一に密着保持して縫合することで、縫合時の運針衝撃による柄地部３の位置ズレを前記各縁辺６Ａ・３Ａ同士の密着摩擦で防ぎつつ、柄地部３を下地４に上記ループ縫い用縫合針ｍの運針により縫い糸５で図３のように縫合し始める。
【００１５】
上記縫合針ｍの運針による縫合作業の続行により、図１のような厚手柄地の縫合シートＡを作った後、前記残存不要部６を厚手地１から図４のように除去することで、この除去部分に図柄切断線２から柄地部３の厚さに応じて直角に沈み込む手掘り感覚の優雅な図柄凹部７を図１のように形成できた。
【００１６】
すなわち本考案は、前記厚手地１の柄地部３を下地４に縫合する際に、その運針衝撃で柄地部３や下地４が振動したり揺動しても、前記図柄切断線２と柄地部３の位置や形状は、前記各直立縁辺３Ａ・６Ａ同士の密着力で不動・不変に保持し得るので、柄地部３を図１のように下地４に整然と素早く縫合できた。
【００１７】
上記柄地部３やその近傍を図１のように下地４に縫合して縫い目模様を形成した後、図４のような残存不要部６を厚手地１から除去するには、縫合済の厚手地１の残存不要部６の裏面下地部分を押して全体的に丸めれば、図４のように厚手地１から上記不不要部６を簡単に押し出し除去でき、この除去部分には、図柄切断線２から柄地部３の厚さに応じて直角に沈み込む手掘り感覚の優雅な図柄凹部７を形成できる。
【００１８】
ただし、図１に示す最大縫合輪郭５Ａの外部における厚手地１と下地４とは、必要に応じて接着したり、厚手地１と下地４との間には、着色シートを介在させてこれら両者を縫合することで、例えばランドセル用の厚手柄地の縫合シートとして用いてもよく、さらに上記最大縫合輪郭５Ａの外部における厚手地１と下地４とは、必要に応じて上記輪郭５Ａに沿わせて切断除去したり、任意の輪郭で切断除去してもよい。
【実施例】
【００１９】
次に、厚手地１に図柄切断線２を形成する具体例としては、彫刻刀や型抜き金型を用い、手作業で図柄切断線２を形成してもよいが、上記図柄切断線２を効率良く素早く、しかも切断端面の色を変えずに美しく形成するには、現用一般の厚手布地や薄板材の図柄切断・孔明け加工機械とか、型抜き金型を用いた自動孔明け加工機械を用いればよく、その他本件出願人が先に提案した特開２００６−２９１４０７号公報記載の環縫いミシンを転用した被裁断生地の連続裁断装置を用いてもよい。
【００２０】
すなわち、現用一般の環縫いミシンにおける上昇時回転可能な昇降針棒の下端に突設したループ縫い用鉤針に代えて、この鉤針とほぼ同大で先細偏平の凹み傾斜刃先を有する周知の裁断針を前記針棒の下端に突設し、この裁断針の下降前に下降し、その上昇後に上昇する生地押さえ用周知のニップルを裁断針の周囲に昇降可能に備え、前記裁断針の昇降に伴い、その刃先が貫通後抜去可能な位置に上記裁断針の刃先幅以下の送りピッチで水平送り可能に設けた可動刺繍枠に対し、前記厚手地を不動に張設する。
【００２１】
この厚手地張設の具体例としては、上記環縫いミシンにおける可動刺繍枠に平置固定した上下不動の台板に必要最小限の大きさの孔を設け、この孔の周辺に設けた５ｍｍ程度の幅の両面接着テープで上記厚手地の裏面を接着して厚手地１を上記可動刺繍枠に対して上下不動に張設する。
【００２２】
次いで、前記ニップルを厚手地の上面に弾接させた状態で裁断針を下降させることで、前記凹み傾斜刃先で厚手地を斜め押し切り後、裁断針の上昇後に前記ニップルを上昇させて厚手地を所望方向に水平送りし、この送り方向に裁断針の傾斜刃先を向け、ニップルにより厚手地を押さえた状態で、裁断針を下降させて厚手地を所望方向に切断するという一連の部分裁断動作を前記厚手地送り直後毎に順次素早く繰り返すことで、厚手地に所望の図柄切断線を素早く、しかも美しく形成できる。
【００２３】
ただし、上記の図柄切断線の形成動作を自動化するには、前記厚手地を架台上に可動設置した周知の可動刺繍枠に水平張設し、この可動刺繍枠および前記裁断針と、その上昇後に動くニップルをそれぞれ予めプログラム化した現用一般の孔明け加工切断パターン情報に従って順次に駆動制御することで、厚手地に図柄切断線を自動的に素早く、しかも美しく形成できる。
【００２４】
前記柄地部３を直立縁辺３Ａに沿わせて下地４に縫合する際にも、前述のような環縫いミシンにおける可動刺繍枠に台板を平設固定し、この台板に図１に示す最大縫合輪郭５Ａと同形で一回り（５ｍｍ程度）大きい孔を設け、この孔の周辺に５ｍｍ程度の幅で設けた両面接着テープに下地４の裏面を接着し，その表面に別の孔明け台板で重合定位した厚手地１を上記可動刺繍枠に対して下地４と共に上下不動に張設して前述したように柄地部３を下地４に縫合する。
【００２５】
また、上記の柄地部３の縫合動作を自動化するには、前記可動刺繍枠および縫合針と、その上昇後に動くニップルとをそれぞれ予めプログラム化した現用一般の縫合加工パターン情報に従って順次に駆動制御することで、厚手地１における柄地部３を図１のように直立縁辺３Ａに沿わせて下地４に素早く、しかも自動的に美しく縫合できる。
【符号の説明】
【００２６】
１…厚手地
２…図柄切断線
３…柄地部
３Ａ・６Ａ…直立縁辺
４…下地
５…縫い糸
５Ａ…最大縫合輪郭
６…残存不要部
７…図柄凹部
Ａ…厚手柄地の縫合シート
ｍ…縫合針
【図１】
0003179058.tif 000003
【図２】
0003179058.tif 000004
【図３】
0003179058.tif 000005
【図４】
0003179058.tif 000006